(57)【特許請求の範囲】
【請求項１】
それぞれが画素を配置した複数の表示領域からなる表示部と、
前記複数の表示領域のそれぞれに対応して設けられた共通電極と、
前記画素に対応して設けられ、電気光学物質を介して前記共通電極と対向する画素電極と、
前記画素電極に対応して設けられた補助容量電極と、
前記複数の表示領域毎に、前記画素電極への画像信号の書き込みを制御する駆動制御部と、
前記複数の表示領域毎に、前記共通電極および前記補助容量電極の一方又は両方への電圧の印加を制御する電圧印加制御部と
を備え、
前記複数の表示領域のうち１つの表示領域の画素電極への画像信号の書き込み期間中に、当該１つの表示領域に隣接する表示領域に対応する前記共通電極および前記補助容量電極の一方または両方に電圧を印加して当該共通電極と当該補助容量電極との間に黒データ表示時よりも大きな電位差を形成する黒挿入が行われ、前記隣接する表示領域について前記黒挿入が行われた後の一定の期間、前記１つの表示領域の画素電極への画像信号の書き込みが停止される
電気光学装置。
【請求項２】
前記表示領域において、前記画素は、マトリクス状に配置され、
前記一定の期間は、少なくとも前記マトリクス状に配置された画素が走査される２水平走査期間以上の期間である、
請求項１に記載の電気光学装置。
【請求項３】
前記駆動制御部は、クロック信号に基づいて前記画像信号を前記画素電極に書き込み、
前記一定の期間には、前記駆動制御部へのクロック信号が停止される、
請求項１または２に記載の電気光学装置。
【請求項４】
前記画像信号の書き込みが停止されている前記一定の期間には、ダミー画像信号がデータ線に供給される、
請求項１〜３のいずれか１項に記載の電気光学装置。
【請求項５】
前記電気光学物質は液晶であり、前記液晶に相転移電圧を印加した後に構成分子が弓なり状に配列されるベンド配向となる液晶モードで駆動する、
請求項１〜４のいずれか１項に記載の電気光学装置。
【請求項６】
前記複数の表示領域のそれぞれは、赤色、緑色および青色の３色、赤色、緑色および黄色の３色、または、赤色、緑色、黄色および橙色の４色の光を時分割で発光する光源を備えている、
請求項１〜５のいずれか１項に記載の電気光学装置。
【請求項７】
前記複数の表示領域は、３つ以上の表示領域から構成されている、
請求項１〜６のいずれか１項に記載の電気光学装置。
【発明の詳細な説明】
【技術分野】
【０００１】
本発明は、電気光学装置に関する。
【背景技術】
【０００２】
従来、電気光学装置（液晶表示装置）の一例として、複数の光源が順番に発光するフィールドシーケンシャル駆動を行う液晶表示装置が知られている。フィールドシーケンシャル駆動では、赤、緑および青に対応する画像信号の書き込みと、赤、緑および青の光源の発光とが、それぞれ、順次行われることにより、赤、緑および青の単位色の画像が重なって見えることによって、カラー画像を表示することが可能となる。一方、フィールドシーケンシャル駆動では、赤、緑および青の光源を順次発光させるために液晶表示装置を高速に動作させる必要がある。しかし、全ての画素に画像信号が書き込まれ、液晶が応答するまでは、光源を発光させることができないので、液晶表示装置を高速に動作させることが困難であるという不都合がある。そこで、画素が配置される表示領域を複数の領域に分割し、複数の領域ごとにそれぞれ画像信号の書き込みと光源の発光とを行うことにより、全ての画素に画像信号が書き込まれるまで光源の発光を待たなくてもよい分、液晶表示装置を高速に動作させることが可能となる。ところで、液晶表示装置では、表示が切り替わるまで以前の画像を表示し続けるため、動画がぼやけるという不都合がある。この動画のぼやけを低減するために、フレーム（１つの画像が表示される期間）とフレームとの間に、黒表示の画面を挿入する方法が提案されている（たとえば、特許文献１参照）。上記特許文献１では、画素に含まれる補助容量線に印加する電圧を変化させることによって発生する容量結合により、画素電極に黒表示に必要な電位を生じさせている。
【０００３】
【特許文献１】特開２００２−３５０８１０号公報
【発明の開示】
【発明が解決しようとする課題】
【０００４】
しかしながら、フレームとフレームとの間に黒表示の画面を挿入する上記特許文献１に記載の液晶表示装置を、上記表示領域が複数の領域に分割され、複数の領域ごとに画像信号の書き込みと光源の発光とを行う液晶表示装置に適用した場合、黒表示を行うための液晶への電圧の印加と、画像信号の書き込みとが並行して行われるので、黒表示を行うために液晶に印加される電圧による容量結合によって、画像信号に歪みが生じるという不都合が考えられる。これにより、表示される画像の品質が悪くなるという問題点がある。
【０００５】
この発明は、上記のような課題を解決するためになされたものであり、この発明の１つの目的は、表示される画像の品質が悪くなるのを抑制することが可能な液晶表示装置等の電気光学装置を提供することである。
【課題を解決するための手段および発明の効果】
【０００６】
上記目的を達成するための本発明の一側面によれば、それぞれが画素を配置した複数の表示領域からなる表示部と、複数の表示領域のそれぞれに対応して設けられた共通電極と、画素に対応して設けられ、電気光学物質を介して共通電極と対向する画素電極と、画素電極に対応して設けられた補助容量電極と、複数の表示領域毎に、画素電極への画像信号の書き込みを制御する駆動制御部と、複数の表示領域毎に、共通電極および補助容量電極の一方又は両方への電圧の印加を制御する電圧印加制御部とを備え、複数の表示領域のうち１つの表示領域の画素電極への画像信号の書き込み期間中に、当該１つの表示領域に隣接する表示領域に対応する共通電極および補助容量電極の一方または両方に電圧を印加して当該共通電極と当該補助容量電極との間に黒データ表示時よりも大きな電位差を形成する黒挿入が行われ、隣接する表示領域について黒挿入が行われた後の一定の期間、１つの表示領域の画素電極への画像信号の書き込みが停止される電気光学装置が提供される。
【０００７】
かかる構成によれば、画素電極への画像信号の書き込みを一定の期間停止することによって、データ線と共通電極との間に所定の電圧印加に起因する容量結合が生じても、データ線から画素電極への画像信号の書き込みが停止される一定の期間の間に容量結合に起因するデータ線の電位変動が回復される。これにより、データ線から歪んだ画像信号が画素電極に書き込まれるのが抑制されるので、表示される画像の品質が悪くなるのを抑制することができる。
【００１０】
また、表示領域において、画素は、マトリクス状に配置され、一定の期間は、少なくともマトリクス状に配置された画素が走査される２水平走査期間以上の期間であってもよい。
このように構成すれば、データ線と共通電極または補助容量線の少なくとも一方との間に生じる所定の電圧に起因する容量結合によるデータ線の電位変動により、確実に低減することができる。
【００１２】
また、駆動制御部は、クロック信号に基づいて画像信号を画素電極に書き込み、一定の期間には、駆動制御部へのクロック信号が停止されてもよい。
このように構成すれば、容易に、一定の期間の間に画像信号が画素に書き込まれるのを抑制することができる。
【００１４】
また、画像信号の書き込みが停止されている一定の期間には、ダミー画像信号がデータ線に供給されてもよい。
【００１５】
また、電気光学物質は液晶であり、液晶に相転移電圧を印加した後に構成分子が弓なり状に配列されるベンド配向となる液晶モードで駆動されてもよい。
このように構成すれば、弓のしなりによって液晶分子の配向の変化が加速されるので、応答速度の速い電気光学装置を構成することができる。
【００１６】
また、複数の表示領域のそれぞれは、赤色、緑色および青色の３色、赤色、緑色および黄色の３色、または、赤色、緑色、黄色および橙色の４色の光を時分割で発光する光源を備えていてもよい。
このように構成すれば、容易に、赤色、緑色および青色、または、赤色、緑色および黄色、または、赤色、緑色、黄色および橙色の光の加法混色により、カラー画像を表示することができる。
【００１７】
また、複数の表示領域は、３つ以上の表示領域から構成されていてもよい。
このように構成すれば、３つ以上の表示領域ごとに、それぞれ、画像信号を書き込み、液晶の応答を待ってからそれぞれの表示領域に対応する光源をそれぞれのタイミングで発光することができるので、表示部の全ての画素に画像信号を書き込み、液晶の応答を待ってから光源を発光する場合と異なり、全ての画素に画像信号が書き込まれるのを待たなくてよい分、液晶表示装置を高速に動作させることができる。
【発明を実施するための最良の形態】
【００２０】
以下、本発明の実施形態を図面に基づいて説明する。
【００２１】
図１は、本発明の一実施形態による液晶表示装置の平面図である。図２は、本発明の一実施形態による表示部の平面図である。図３は、図２の２００−２００線に沿った断面図である。図４は、本発明の一実施形態による共通電極の平面図である。まず、図１〜図４を参照して、本発明の一実施形態による液晶表示装置１００の構成について説明する。
【００２２】
本実施形態による液晶表示装置１００は、図１に示すように、ガラスからなる基板１上に、表示部２と、水平駆動回路３と、垂直駆動回路４とが設けられている。この表示部２には、画素２１がマトリクス状に配置されている。なお、図１では、図面の簡略化のため、４つの画素２１のみを図示している。また、基板１の外部には、駆動ＩＣ５が設けられている。
【００２３】
また、水平駆動回路３と垂直駆動回路４とには、それぞれ、データ線６と走査線７とが接続されており、画素２１は、データ線６と走査線７とが交差する位置に配置されている。
【００２４】
また、駆動ＩＣ５から水平駆動回路３へは、画像信号Ｖｉｄｅｏ、スタート信号ＳＴＨ、走査方向切替信号ＣＳＨ、クロック信号ＣＫＨ、イネーブル信号ＥＮＢ、正側電位ＶＤＤおよび負側電位ＶＢＢが供給される。また、駆動ＩＣ５から垂直駆動回路４へは、スタート信号ＳＴＶ、イネーブル信号ＥＮＢ、走査方向切替信号ＣＳＶ、クロック信号ＣＫＶ、正側電位ＶＤＤ、および、負側電位ＶＢＢが供給される。ここで、本実施形態では、クロック信号ＣＫＶの生成を停止させるためのクロック停止信号ＣＫＶＳＴＯＰが、駆動ＩＣ５から垂直駆動回路４へ供給される。なお、駆動ＩＣ５および垂直駆動回路４は、本発明の「駆動制御部」の一例である。
【００２５】
また、各々の画素２１は、ｎチャネルトランジスタ２２（以下、トランジスタ２２という）、画素電極２３、画素電極２３に対向配置された共通電極２４、画素電極２３と共通電極２４との間に挟持された液晶２５、および、補助容量２６によって構成されている。そして、トランジスタ２２のソース２２Ｓは、画素電極２３および補助容量２６の一方電極に接続されているとともに、ドレイン２２Ｄは、データ線６に接続されている。このトランジスタ２２のゲートは、走査線７に接続されている。また、補助容量２６の他方電極は、後述する補助容量線３５に接続されるとともに、補助容量線３５は、補助容量線電位ＳＣに接続されている。また、共通電極２４は、共通電極電位ＣＯＭに接続されている。また、駆動ＩＣ５から、補助容量線電位ＳＣ、共通電極電位ＣＯＭが供給される。なお、駆動ＩＣ５は、本発明の「電圧印加制御部」の一例である。
【００２６】
また、本実施形態では、図２に示すように、表示部２は、垂直走査の方向に沿って、３つの表示領域２Ａ、２Ｂおよび２Ｃから構成されている。なお、３つの表示領域２Ａ、２Ｂおよび２Ｃのそれぞれの面積は、同一であってもよいし、互いに異なっていてもよい。また、３つの表示領域２Ａ、２Ｂおよび２Ｃは、それぞれ独立して走査されるように構成されている。
【００２７】
また、３つの表示領域２Ａ、２Ｂおよび２Ｃには、それぞれ、バックライト８Ａ、８Ｂおよび８Ｃが設けられている。なお、バックライト８Ａ、８Ｂおよび８Ｃは、本発明の「光源」の一例である。なお、本実施形態では、バックライト８Ａ、８Ｂおよび８Ｃは、それぞれ独立しているとともに、それぞれ、赤、緑および青のバックライトを含んでいる。また、バックライト８Ａ、８Ｂおよび８Ｃは、制御回路９に接続されており、それぞれ、制御回路９に制御されて発光するように構成されている。
【００２８】
また、図３に示すように、ガラスからなる基板１の表面上には、偏光板３１が形成されている。また、基板１の偏光板３１が形成される側とは反対の側の表面上には、半導体層３２および半導体層３３が形成されている。半導体層３２は、トランジスタ２２（図１参照）の能動層である。また、半導体層３３は、トランジスタ２２に接続される補助容量２６を構成する容量電極である。半導体層３２および半導体層３３の表面上には、ゲート絶縁膜３４が形成されている。また、半導体層３２の表面上に形成されるゲート絶縁膜３４の表面上には、ゲート電極として機能する走査線７が配置されている。また、半導体層３３の表面上に形成されるゲート絶縁膜３４の表面上には、補助容量２６を形成するための補助容量線３５が配置されている。
【００２９】
また、ゲート絶縁膜３４、走査線７および補助容量線３５の表面上には、パッシベーション膜３６が形成されている。また、パッシベーション膜３６の表面上には、データ線６と電極３７とが配置されている。なお、データ線６は、コンタクトホール３８を介して半導体層３２のドレイン領域３２Ｄに接続されている。また、電極３７は、コンタクトホール３９を介して半導体層３２のソース領域３２Ｓに接続されるとともに、コンタクトホール４０を介して半導体層３３に接続されている。また、パッシベーション膜３６、電極３７およびデータ線６の表面上には、平坦化膜４１が形成されている。また、平坦化膜４１の表面上には、ＩＴＯ（Ｉｎｄｉｕｍ  Ｔｉｎ  Ｏｘｉｄｅ）などの透明電極からなる画素電極２３が形成されている。なお、画素電極２３は、コンタクトホール４２を介して電極３７と接続されている。また、画素電極２３の表面上には、配向膜４３が形成されている。
【００３０】
また、基板１と対向するように基板４４が設けられている。基板４４の基板１と対向する側とは反対の側の表面上には、偏光板４５が形成されている。また、基板４４の基板１と対向する側の表面上には、ＩＴＯなどの透明電極からなる共通電極２４が形成されている。また、本実施形態では、共通電極２４は、図４に示すように、表示部２の表示領域２Ａ、２Ｂおよび２Ｃに対応するように、共通電極２４Ａ、２４Ｂおよび２４Ｃから構成されている。なお、共通電極２４Ａ、２４Ｂおよび２４Ｃは、それぞれ、電気的に分離されている。また、図３に示すように、共通電極２４の表面上には、配向膜４６が形成されている。
【００３１】
また、基板１側の配向膜４３と、基板４４側の配向膜４６との間には、液晶２５が狭持されている。なお、本実施形態では、液晶２５は、初期状態であるスプレイ配向から、電圧を印加することによりベンド配向に変化するＯＣＢ液晶である。また、共通電極２４には、液晶２５がスプレイ配向からベンド配向に相転移した後、再びスプレイ配向に相転移するのを防ぐとともに、黒表示を行うための、電圧ＶBを印加する電圧印加手段４７が接続されている。なお、電圧ＶBは、本発明の「所定の電圧」の一例である。また、バックライト８（８Ａ、８Ｂおよび８Ｃ）は、基板１と対向するように設けられている。
【００３２】
図５は、本発明の一実施形態による液晶表示装置の駆動を説明するための図である。図６は、本発明の一実施形態による液晶に印加される電圧と透過率との関係を示す図である。図７は、本発明の一実施形態による画像信号の書き込みを説明するための図である。次に、図５〜図７を参照して、本発明の一実施形態による液晶表示装置１００の動作について説明する。
【００３３】
まず、図５に示すように、電源が立ち上がった後、相転移制御信号ＰＳがＨｉレベルに立ち上げられる。これにより、表示領域２Ａ、２Ｂおよび２Ｃには、黒データがＰＳ＝Ｈｉ期間、書き込まれる。また、相転移制御信号ＰＳがＨｉレベルに立ち上げられることにより、液晶２５がスプレイ配向からベンド配向に相転移が終了する。ＦＲＰは、垂直同期信号より後述の黒挿入期間分前で極性が反転する信号であり、その極性に応じ表示領域２Ａ、２Ｂおよび２Ｃには、黒挿入電圧が印加されることになる。
【００３４】
そして、表示領域２Ａは黒挿入され、２Ｂおよび２Ｃでは、黒表示が維持される。
【００３５】
次に、信号ＦＲＰがＨｉレベルに立ち上がった後、１水平走査期間（１Ｈ）経過した後、信号ＡがＨｉレベルに立ち上げられ、電圧印加手段４７により画素２１の共通電極２４に電圧ＶＢ＋(またはＶＢ−)が、およびまたは、補助容量線３５に電圧ＶＢ−（またはＶＢ＋）が、少なくともどちらか1つが印加される。なお、信号Ａ、後述する信号Ｂおよび信号Ｃは、図２に示す制御回路９によって、表示領域２Ａ、２Ｂおよび２Ｃにそれぞれ入力される。そして、画素電極２３と共通電極２４との間の電位差、画素電極２３と補助容量線３５間の電位差、または共通電極２４と補助容量線３５間の電位が大きくなることによって、黒データ表示に対応する電圧（例えば約５Ｖ〜７Ｖ）より高電圧になる黒挿入が行われる。また、この電圧ＶＢ＋（またはＶＢ-）の印加は、液晶２５が一旦スプレイ配向からベンド配向に相転移し、再びスプレイ配向に相転移するのを防ぐ効果ともに、図６に示すように、黒挿入しない場合のスプレイ配向からベンド配向へ相転移する閾値電圧ＶC（たとえば約２．３Ｖ）より低電圧（約１Ｖ〜１．５Ｖ）において、透過率を向上させる効果もある。この場合、たとえば表示時には、共通電極２４と補助容量線３５は、約６．９Ｖの電圧が印加され、黒挿入時には、共通電極２４には約１３．８Ｖの電圧（または０Ｖ）が印加されるか、補助容量線３５には０Ｖの電圧（または１３．８Ｖ）が印加されるか、同時に印加されるかのいずれでも良い。
【００３６】
なお、電圧ＶＢ＋(またはＶＢ−)が共通電極２４に印加されることにより、図６の点線Ｃ1に示すように、書き込み期間において白表示に対応する電圧Ｖ2が液晶２５に印加されても、透過率が向上することが可能となる。仮に、電圧ＶＢ＋(またはＶＢ−)が共通電極２４に印加されない場合は、図６の実線Ｃ2に示すように、書き込み期間において白表示に対応する電圧Ｖ2が液晶２５に印加された時、透過率が低下してしまう。
【００３７】
また、図５に示すように、表示領域２Ａにおいて黒挿入が行われている間に、負極性の垂直同期信号ＶＳが発生し、入力画像データは、Ｂｌａｎｋｉｎｇ期間の無効データ（Ｉｎｖａｌｉｄ）から、表示データ転送期間に移行し、第１表示色に対応する赤色の画像信号がデータ線６に転送される。
【００３８】
また、表示領域２Ａでは、黒表示の終了時点の２水平走査期間（２Ｈ）前に、信号Ａが立ち下げられる。２Ｈ経過後、表示領域２Ａの画素２１に画像信号が書き込まれる。なお、このとき、ＦＲＰは、Ｈｉレベルであり、表示画像データとしては、正極性の画像データが書き込まれる。
【００３９】
また、表示領域２Ａの書き込み期間に並行して、表示領域２Ｂでは、信号ＢをＨｉレベルに立ち上げることにより、表示領域２Ｂの共通電極２４Ｂに電圧ＶＢ＋(またはＶＢ−)が、およびまたは、補助容量線３５に電圧ＶＢ−（またはＶＢ＋）が、少なくともどちらか1つが印加される。これにより、表示領域２Ｂにおいて、前述した表示領域２Ａと同様に黒挿入が行われる。ここで、本実施形態では、図７に示すように、信号ＢがＨｉレベルに立ち上がった後の２水平走査期間（２Ｈ）の間、クロック停止信号ＣＫＶＳＴＯＰがＨｉレベルに立ち上げられる。これにより、本実施形態では、垂直駆動回路４において、クロック信号ＣＫＶ１と、クロック信号ＣＫＶ１の極性が反転したクロック信号ＣＫＶ２との生成が停止される。なお、クロック信号ＣＫＶ１およびクロック信号ＣＫＶ２の生成が停止される２水平走査期間は、本発明の「一定の期間」の一例である。そして、クロック信号ＣＫＶ１およびクロック信号ＣＫＶ２の生成が停止された結果、表示領域２Ａにおいて、垂直走査が停止されると共に、画素２１の画素電極２３への画像信号の書き込みが停止される。なお、本実施形態では、このクロック信号ＣＫＶ１およびＣＫＶ２の生成が停止される２水平走査期間では、画像信号としてダミー画像信号（図７に斜線で示される２つの画像信号４２ａ、４２ｂ）が、データ線６に転送される。この２水平走査期間は、クロック信号ＣＫＶ１およびＣＫＶ２が停止しているので、垂直走査は中断し、このときの画像信号４２ａ、４２ｂが画素２１に書き込まれることはない。なお、ダミー画像信号は、どんなデータでもよく、例えば、白表示データ、黒表示データ、または、直前に書き込んだ画像信号４２のデータを連続して送る構成としてよいが、次に書き込みたいデータ、すなわち、画像信号４３を連続して送る構成とした場合には、データ線６のプリチャージが出来るという効果が期待できる。
【００４０】
また、表示領域２Ａへの書込みが終了後の、若しくは、一定の期間経過後の表示領域２Ｂの黒挿入の終了前に、信号ＢがＬｏｗレベルに立ち下げられることにより、表示領域２Ｂの共通電極２４Ｂへの電圧ＶＢ＋(またはＶＢ−)の印加が、およびまたは、補助容量線３５に電圧ＶＢ−（またはＶＢ＋）の印加が、終了する。ここで、本実施形態では、信号ＢがＬｏｗレベルに立ち下がった後の２水平走査期間の間、クロック停止信号ＣＫＶＳＴＯＰがＨｉレベルに立ち上げられる。これにより、本実施形態では、このクロック信号ＣＫＶ１およびＣＫＶ２の生成が停止される２水平走査期間では、画像信号としてダミー画像信号（図７に斜線で示される２つの画像信号１５４ａ、１５４ｂ）が、データ線６に転送されるが、クロック信号ＣＫＶ１およびＣＫＶ２が停止しているので、走査は中断し、このときの画像信号１５４ａ、１５４ｂが画素２１に書き込まれることはない。
【００４１】
その後、表示領域２Ａの画素２１への画像信号の書き込みが終了し、液晶２５の応答期間を経て、第１表示色に対応する赤色のバックライト８が発光される。また、表示領域２Ｂでは、黒挿入の後、クロック信号ＣＫＶ１およびＣＫＶ２の生成が停止される２水平走査期間経過後に、画素２１への第１表示色に対応する赤色の画像信号の書き込みが開始される。
【００４２】
同様に、表示領域２Ｂの書き込み期間に並行して、表示領域２Ｃでは、信号ＣがＨｉレベルに立ち上げられることにより、表示領域２Ｃの共通電極２４Ｃに電圧ＶＢ＋(またはＶＢ−)が、およびまたは、補助容量線３５に電圧ＶＢ−（またはＶＢ＋）が、すくなくともどちらか１つが印加される。これにより、表示領域２Ｃにおいて、黒挿入が行われる。ここで、本実施形態では、図７に示すように、信号ＣがＨｉレベルに立ち上がった後の２水平走査期間の間、クロック停止信号ＣＫＶＳＴＯＰがＨｉレベルに立ち上げられる。これにより、本実施形態では、クロック信号ＣＫＶ１と、クロック信号ＣＫＶ２との生成が停止される。その結果、表示領域２Ｂにおいて、画素２１への画像信号の書き込みが停止される。なお、本実施形態では、このクロック信号ＣＫＶ１およびＣＫＶ２の生成が停止される２水平走査期間では、画像信号としてダミー画像信号（図７に斜線で示される２つの画像信号２０４ａ、２０４ｂ）が、データ線６に転送されるが、クロック信号ＣＫＶ１およびＣＫＶ２が停止しているので、走査は中断し、このときの画像信号２０４ａ、２０４ｂが画素２１に書き込まれることはない。
【００４３】
また、表示領域２Ｃの黒挿入の終了前に、信号ＣがＬｏｗレベルに立ち下げられることにより、表示領域２Ｃの共通電極２４Ｃへの電圧ＶＢ＋(またはＶＢ−)の印加が、およびまたは、補助容量線３５に電圧ＶＢ−（またはＶＢ＋）の印加が、終了する。ここで、本実施形態では、信号ＣがＬｏｗレベルに立ち下がった後の２水平走査期間の間、クロック停止信号ＣＫＶＳＴＯＰがＨｉレベルに立ち上げられる。これにより、本実施形態では、クロック信号ＣＫＶ１と、クロック信号ＣＫＶ２との生成が停止される。その結果、表示領域２Ｂにおいて、画素２１への画像信号の書き込みが停止される。また、本実施形態では、このクロック信号ＣＫＶ１およびＣＫＶ２の生成が停止される２水平走査期間では、画像信号としてダミー画像信号（図７に斜線で示される２つの画像信号３１６ａ、３１６ｂ）が、データ線６に転送されるが、クロック信号ＣＫＶ１およびＣＫＶ２が停止しているので、走査は中断し、このときの画像信号２０４ａ、２０４ｂが画素２１に書き込まれることはない。
【００４４】
その後、表示領域２Ｂの画素２１への画像信号の書き込みが終了し、液晶２５の応答期間を経て、第１表示色に対応する赤色のバックライト８が発光される。また、表示領域２Ｃでは、黒挿入の期間の経過後、画素２１への第１表示色に対応する赤色の画像信号の書き込みが開始される。
【００４５】
また、図５に示すように、第１表示色に対応する入力画像データは終了し、Ｂｌａｎｋｉｎｇ期間に移行する。その後、１水平走査期間遅れて表示画素データの画素への書込みが終了する。表示領域２Ａにおける第１表示色に対応する赤色のバックライト８の発光と、表示領域２Ｂにおける画素２１の応答期間と、表示領域２Ｃにおける画素２１への画像信号の書き込みとが略同時に終了する。そして、表示領域２Ａでは、黒挿入が開始され、表示領域２Ｂでは、第１表示色に対応する赤色のバックライト８の発光が開始され、表示領域２Ｃでは、液晶２５の応答期間が開始される。なお、このとき、信号ＦＲＰがＬｏｗレベルに立ち下げられる。このように、上記の動作を繰り返すことにより、表示領域２Ａ、２Ｂおよび２Ｃにおいてそれぞれタイミングをずらしながら、次のフィールドでは第２表示色に対応する緑色の入力画像データの書き込み、第２表示色に対応する緑色のバックライト８の発光が行われ、更に次のフィールドでは第３表示色に対応する青色の入力画像データの書き込み、および、第３表示色に対応する青色のバックライト８の発光が順次行われ、フィールドシーケンシャル駆動が行われる。なお、表示領域２Ａの黒挿入の開始と終了時に、クロック停止信号ＣＫＶＳＴＯＰが発生されないが、これは、表示領域２Ａの黒挿入の期間はＢｌａｎｋｉｎｇ期間に対応しており、画素２１に入力画像データが書き込まれていないので、画素２１への画像信号の書き込みを停止する必要がないためである。
【００４６】
本実施形態では、上記のように、表示部２を複数の表示領域２Ａ、２Ｂおよび２Ｃから構成することによって、表示領域２Ａ、２Ｂおよび２Ｃの全ての画素２１に表示画像データを書き込んでからバックライト８を発光する場合と異なり、表示領域２Ａ、２Ｂおよび２Ｃの画素２１に表示画像データを書き終え、液晶の応答期間が終了した時点でそれぞれバックライト８Ａ、８Ｂおよび８Ｃを発光することができるので、表示部２の全ての画素２１に表示画像データが書き込まれるのを待たなくてよい分、液晶表示装置１００を高速に動作させることができる。また、画素２１の共通電極２４に電圧ＶＢ＋(またはＶＢ−) 、およびまたは、補助容量線３５に電圧ＶＢ−（またはＶＢ＋）（画素２１が黒表示以上の高電圧）を印加することによって、画素２１に黒表示を行うことができる。これにより、以前に表示された画像と新たに表示される画像との間に黒表示（黒挿入）を行うことができるので、動画などがぼやけるのを抑制することができる。また、画素２１の共通電極２４に電圧ＶＢ＋(またはＶＢ−)、およびまたは、補助容量線３５に電圧ＶＢ−（またはＶＢ＋）が印加される開始後および終了後の時点において、画素２１への画像信号の書き込みを２水平走査期間停止することによって、データ線６と共通電極２４との間に電圧ＶＢ＋(またはＶＢ−)、およびまたは、補助容量線３５に電圧ＶＢ−（またはＶＢ＋）に起因する容量結合が生じても、データ線６から画素２１への画像信号の書き込みが停止される２水平走査期間の間に容量結合に起因するデータ線６の電位変動が回復される。これにより、データ線６から歪んだ画像信号が画素２１に書き込まれるのを阻止し、表示される画像の品質が悪くなるのを抑制することができる。
【００４７】
また、本実施形態では、上記のように、画素２１への画像信号の書き込みの２水平走査期間の停止を、電圧ＶＢ＋(またはＶＢ−)の印加の開始時点後および終了時点後の両方において行うことによって、画素２１への画像信号の書き込みの２水平走査期間の停止が、電圧ＶＢ＋(またはＶＢ−)の印加の開始時点後または終了時点後の一方の時点のみで行われる場合より、データ線６から歪んだ画像信号が画素２１に書き込まれるのをより抑制することができる。
【００４８】
また、本実施形態では、上記のように、画像信号の書き込みが停止される一定の期間を、画素２１が走査される２水平走査期間とすることによって、データ線６と共通電極２４、およびまたは、データ線６と補助容量線３５との間に生じる電圧ＶＢ＋(またはＶＢ−)に起因する容量結合によるデータ線６の電位変動を、確実に低減することができる。
【００４９】
また、本実施形態では、上記のように、複数の画素２１には、クロック信号ＣＫＶに基づいて画像信号を書き込み、２水平走査期間には、クロック信号の生成を停止することによって、容易に、２水平走査期間の間に画像信号が画素に書き込まれるのを抑制することができる。
【００５０】
また、本実施形態では、上記のように、クロック信号ＣＫＶによる画像信号の書き込みを停止させるためのクロック停止信号ＣＫＶＳＴＯＰを備えることによって、容易に、クロック信号ＣＫＶの生成を停止することができる。
【００５１】
また、本実施形態では、上記のように、液晶２５として、相転移電圧を印加した後に構成分子が弓なり状に配列されるベンド配向となるＯＣＢ液晶を用いることによって、弓のしなりによって液晶分子の配向の変化が加速されるので、応答速度の速い液晶表示装置１００を構成することができる。
【００５２】
また、本実施形態では、上記のように、バックライト８の第１表示色、第２表示色、第３表示色を、夫々、赤色、緑色および青色の光を発光するバックライト８から構成することによって、容易に、赤色、緑色および青色の光の加法混色により、カラー画像を表示することができる。この加法混色の場合、第１表示色、第２表示色、第３表示色のいずれか２色以上の混色により表示が完了するため、各色毎の表示時間差が発生し、そのため、特に、動画において、輪郭が各色毎に異なって見えるカラーブレークが発生し、表示品位を低下させる。そのため、表示色は減少するが、第１表示色、第２表示色、第３表示色を、夫々、赤色、緑色、黄色とすることにより３色階調付のカラーブレークのない表示が可能である。さらにはまた、第１表示色、第２表示色、第３表示色、第4表示色を、夫々、赤色、緑色、黄色、橙色とすることにより４色階調付のカラーブレークのない表示が可能である。
【００５３】
また、本実施形態では、上記のように、フィールドシーケンシャルの例のため、各表示色の光源を時分割で発光する例を記載したが、これに限らず、同時に複数色の光源を発光させる構成でもよい。
【００５４】
また、本実施形態では、上記のように、表示部２を、３つの表示領域２Ａ、２Ｂおよび２Ｃから構成することによって、３つの表示領域２Ａ、２Ｂおよび２Ｃごとに、ぞれぞれ、画像信号の書き込みを行った後にバックライト８Ａ、８Ｂおよび８Ｃを発光することができるので、表示部２の全ての画素２１に画像信号を書き込んでからバックライト８を発光する場合と異なり、全ての画素２１に画像信号が書き込まれるのを待たなくてよい分、液晶表示装置１００を高速に動作させることができる。
【００５５】
また、本実施形態では、上記のように、画素２１の共通電極２４を、複数の表示領域２Ａ、２Ｂおよび２Ｃごとにそれぞれ設けることによって、表示領域２Ａ、２Ｂおよび２Ｃごとに共通電極２４Ａ、２４Ｂおよび２４Ｃに電圧ＶＢ＋(またはＶＢ−)を印加することができるので、表示領域２Ａ、２Ｂおよび２Ｃごとに黒表示を行うことができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記実施形態では、電圧ＶＢ＋(またはＶＢ−)の印加の開始後と終了後との両方の時点において、画素への書き込みを停止する例を示したが、本発明はこれに限らず、電圧ＶＢ＋(またはＶＢ−)の印加の開始後または終了後の一方の時点において、画素への書き込みを停止してもよい。
【００５８】
また、上記実施形態では、電圧ＶＢ＋(またはＶＢ−)の印加の開始後と終了後とにおいて、画素への書き込みを停止する例を示したが、本発明はこれに限らず、電圧ＶＢ＋(またはＶＢ−)の印加の開始時点の近傍または終了時点の近傍であれば、電圧ＶＢ＋(またはＶＢ−)の印加の開始前または終了前であってもよい。
【００５９】
また、上記実施形態では、２水平走査期間の間、画像信号の書き込みを停止する例を示したが、本発明はこれに限らず、少なくとも画像信号の歪みが解消するまでの時間、画像信号の書き込みを停止すればよい。
【００６０】
また、上記実施形態では、表示部を３つの表示領域に分ける例を示したが、本発明はこれに限らず、表示部を２つ、または、４つ以上の表示領域に分けてもよい。
【００６１】
また、上記実施形態では、クロック停止信号により、入力画像データの書き込みを停止する例を示したが、本発明はこれに限らず、クロック停止信号以外の信号を用いて、画像信号の書き込みを停止してもよい。
【００６２】
また、上記実施形態では、赤、緑および青の３色のバックライトを用いる例を示したが、本発明はこれに限らず、２色または４色以上のバックライトを用いてもよい。
【図面の簡単な説明】
【００６３】
【図１】本発明の一実施形態による液晶表示装置の平面図である。
【図２】本発明の一実施形態による表示部の平面図である。
【図３】図２の２００−２００線に沿った断面図である。
【図４】本発明の一実施形態による共通電極の平面図である。
【図５】本発明の一実施形態による液晶表示装置の駆動を説明するための図である。
【図６】本発明の一実施形態による液晶に印加される電圧と透過率との関係を示す図である。
【図７】本発明の一実施形態による画像信号の書き込みを説明するための図である。
【符号の説明】
【００６４】
２  表示部
２Ａ、２Ｂ、２Ｃ  表示領域
４  垂直駆動回路（駆動制御部）
５  駆動ＩＣ（駆動制御部、電圧印加制御部）
６  データ線
７  走査線
８、８Ａ、８Ｂ、８Ｃ  バックライト（光源）
２１  画素
２３  画素電極
２４  共通電極
２５  液晶
２６  補助容量
３５  補助容量線
【図１】
0005132414.tif 000002
【図２】
0005132414.tif 000003
【図３】
0005132414.tif 000004
【図４】
0005132414.tif 000005
【図５】
0005132414.tif 000006
【図６】
0005132414.tif 000007
【図７】
0005132414.tif 000008